(57)【特許請求の範囲】
【請求項１】
複数の音声信号の制御を指示する音声制御装置と前記音声制御装置による制御の指示に基づいて前記複数の音声信号をミキシング処理する音声処理装置とが物理的に分離され構成されており、前記音声制御装置と前記音声処理装置とを前記制御の指示を伝送する伝送路により結線し別々の場所に離隔して配置可能なミキシング・システムであって、
前記音声制御装置は、
外部記憶媒体から音声制御装置のソフトウェア・プログラムと音声処理装置のソフトウェア・プログラムとを読み出す読出手段を有し、
前記読出手段により前記外部記憶媒体に格納された前記音声制御装置のソフトウェア・プログラムを読み出し、該読み出した前記音声制御装置のソフトウェア・プログラムにより、現在設定されているソフトウェア・プログラムのバージョン・アップを行い、
音声処理装置において現在設定されているソフトウェア・プログラムのバージョン番号を第１の伝送路を介して問い合わせる処理を行うとともに、前記音声処理装置における応答によって前記音声処理装置において現在設定されているソフトウェア・プログラムのバージョン番号を第２の伝送路を介して取得し、
前記読出手段により前記外部記憶媒体に格納された音声制御装置のソフトウェア・プログラムのバージョンと適合して動作可能な音声処理装置のソフトウェア・プログラムのバージョン番号を読み出し、
前記音声処理装置に現在設定されているソフトウェア・プログラムのバージョン番号と、前記音声制御装置のソフトウェア・プログラムのバージョンと適合して動作可能な音声処理装置のソフトウェア・プログラムのバージョン番号とを比較することによって、前記音声処理装置に現在設定されているソフトウェア・プログラムでミキシング・システムとして前記音声制御装置と前記音声処理装置とが互いに動作可能であるか否かを判断し、
動作可能でないと判断したときにのみ、前記読出手段により前記外部記憶媒体に格納された前記音声処理装置のソフトウェア・プログラムを読み出し、該読み出した前記音声処理装置のソフトウェア・プログラムを前記第１の伝送路を介して出力し、
前記音声処理装置は、
前記音声制御装置からの問い合わせに対して前記音声処理装置における現在設定されているソフトウェア・プログラムのバージョン番号を前記第２の伝送路を介して知らせる処理を行い、
前記第１の伝送路を介して前記音声処理装置のソフトウェア・プログラムを入力して、該入力した前記音声処理装置のソフトウェア・プログラムにより、現在設定されているソフトウェア・プログラムのバージョン・アップを行う
ことを特徴とするソフトウェア・プログラムのアップ・デートが可能なミキシング・システム。
【請求項２】
複数の音声信号の制御を指示する音声制御装置と前記音声制御装置による制御の指示に基づいて前記複数の音声信号をミキシング処理する音声処理装置とが物理的に分離され構成されており、前記音声制御装置と前記音声処理装置とを前記制御の指示を伝送する伝送路により結線し別々の場所に離隔して配置可能なミキシング・システムであって、
前記音声制御装置は、
外部記憶媒体から音声制御装置のソフトウェア・プログラムと音声処理装置のソフトウェア・プログラムとを読み出す読出手段を有し、
前記読出手段により前記外部記憶媒体に格納された前記音声制御装置のソフトウェア・プログラムを読み出し、該読み出した前記音声制御装置のソフトウェア・プログラムにより、現在設定されているソフトウェア・プログラムのバージョン・アップを行い、
前記読出手段により前記外部記憶媒体に格納された音声制御装置のソフトウェア・プログラムのバージョンと適合して動作可能な音声処理装置のソフトウェア・プログラムのバージョン番号を読み出し、該読み出した前記音声制御装置のソフトウェア・プログラムのバージョンと適合して動作可能な音声処理装置のソフトウェア・プログラムのバージョン番号を前記音声処理装置に転送し、
前記読出手段により前記外部記憶媒体に格納された前記音声処理装置のソフトウェア・プログラムを読み出し、該読み出した前記音声処理装置のソフトウェア・プログラムを前記音声処理装置の制御に基づいて第１の伝送路を介して出力し、
前記音声処理装置は、
前記音声処理装置に現在設定されているソフトウェア・プログラムのバージョン番号と、前記音声制御装置から転送された前記外部記憶媒体に格納された前記音声制御装置のソフトウェア・プログラムのバージョンと適合して動作可能な音声処理装置のソフトウェア・プログラムのバージョン番号とを比較することによって、前記音声処理装置に現在設定されているソフトウェア・プログラムと前記外部記憶媒体に格納された前記音声制御装置のソフトウェア・プログラムとが適合して動作可能であるか否かを判断し、
動作可能であると判断したときには、第２の伝送路を介して前記音声処理装置のソフトウェア・プログラムを出力することを禁止するよう前記音声制御装置を制御し、
動作可能でないと判断したときには、前記第２の伝送路を介して前記音声処理装置のソフトウェア・プログラムを出力するよう前記音声制御装置を制御し、
前記第１の伝送路を介して前記音声処理装置のソフトウェア・プログラムを入力すると、該入力した前記音声処理装置のソフトウェア・プログラムにより、現在設定されているソフトウェア・プログラムのバージョン・アップを行う
ことを特徴とするソフトウェア・プログラムのアップ・デートが可能なミキシング・システム。
【請求項３】
複数の音声信号をミキシング処理する音声処理装置と伝送路により結線してミキシング・システムを構成する音声制御装置において、
外部記憶媒体から音声制御装置のソフトウェア・プログラムと音声処理装置のソフトウェア・プログラムとを読み出す読出手段を有し、
前記読出手段により前記外部記憶媒体に格納された前記音声制御装置のソフトウェア・プログラムを読み出し、該読み出した前記音声制御装置のソフトウェア・プログラムにより、現在設定されているソフトウェア・プログラムのバージョン・アップを行い、
音声処理装置において現在設定されているソフトウェア・プログラムのバージョン番号を第１の伝送路を介して問い合わせる処理を行うとともに、前記音声処理装置における応答によって前記音声処理装置において現在設定されているソフトウェア・プログラムのバージョン番号を第２の伝送路を介して取得し、
前記読出手段により前記外部記憶媒体に格納された音声制御装置のソフトウェア・プログラムのバージョンと適合して動作可能な音声処理装置のソフトウェア・プログラムのバージョン番号を読み出し、
前記音声処理装置に現在設定されているソフトウェア・プログラムのバージョン番号と、前記音声制御装置のソフトウェア・プログラムのバージョンと適合して動作可能な音声処理装置のソフトウェア・プログラムのバージョン番号とを比較することによって、前記音声処理装置に現在設定されているソフトウェア・プログラムでミキシング・システムとして前記音声制御装置と前記音声処理装置とが互いに動作可能であるか否かを判断し、
動作可能でないと判断したときにのみ、前記読出手段により前記外部記憶媒体に格納された前記音声処理装置のソフトウェア・プログラムを読み出し、該読み出した前記音声処理装置のソフトウェア・プログラムを前記第１の伝送路を介して前記音声処理装置に出力する
ことを特徴とする音声制御装置。
【請求項４】
複数の音声信号の制御を指示する音声制御装置と伝送路により結線してミキシング・システムを構成する音声処理装置において、
前記音声処理装置に現在設定されているソフトウェア・プログラムのバージョン番号と、前記音声制御装置において読み出され、前記音声制御装置から転送された外部記憶媒体に格納された前記音声制御装置のソフトウェア・プログラムのバージョンと適合して動作可能な音声処理装置のソフトウェア・プログラムのバージョン番号とを比較することによって、前記音声処理装置に現在設定されているソフトウェア・プログラムと前記外部記憶媒体に格納された前記音声制御装置のソフトウェア・プログラムとが適合して動作可能であるか否かを判断し、
動作可能であると判断したときには、前記音声制御装置において前記外部記憶装置に格納された前記音声処理装置のソフトウェア・プログラムを読み出して、該読み出した前記音声処理装置のソフトウェア・プログラムを第１の伝送路を介して出力することを禁止するよう前記音声制御装置を制御し、
動作可能でないと判断したときには、前記音声制御装置において前記外部記憶装置に格納された前記音声処理装置のソフトウェア・プログラムを読み出して、該読み出した前記音声処理装置のソフトウェア・プログラムを前記第１の伝送路を介して出力するよう前記音声制御装置を制御し、
前記音声制御装置から第２の伝送路を介して前記音声処理装置のソフトウェア・プログラムを入力すると、該入力した前記音声処理装置のソフトウェア・プログラムにより、現在設定されているソフトウェア・プログラムのバージョン・アップを行う
ことを特徴とする音声処理装置。
【発明の詳細な説明】
【０００１】
【発明の属する技術分野】
本発明は、ソフトウェア・プログラムのアップ・デートが可能なミキシング・システム、音声制御装置および音声処理装置に関し、さらに詳細には、音声信号の制御を指示する音声制御装置と当該音声制御装置による制御の指示に基づいて音声信号をミキシング処理する音声処理装置とが物理的に分離されて構成されていて、これら音声制御装置と音声処理装置とを別々の場所に離隔して配置可能なソフトウェア・プログラムのアップ・デートが可能なミキシング・システム、音声制御装置および音声処理装置に関する。
【０００２】
【従来の技術】
従来より、複数のチャンネルの音声信号を入力し、当該入力された複数のチャンネルの音声信号を各チャンネル毎に設定された音声レベルに応じて制御して、ミキシング処理を行って出力するミキシング・システムが知られている。
【０００３】
一般に、こうした従来のミキシング・システムは、音声信号の音声レベルの制御を指示する音声制御部と、当該音声制御部により制御を指示された音声レベルに基づいて音声信号をミキシング処理する音声処理部とが、物理的に一体化されて構成されている。
【０００４】
そして、上記したような音声制御部と音声処理部とが物理的に一体化された従来のミキシング・システムを演奏会場などで用いようとする際には、演奏会場の前方にあるステージ上で行われる演奏などの邪魔にならないようにするとともに、ユーザーがミキシングの効果を直に確認できるように、演奏会場の後方などに設置されて使用されることが通例である。
【０００５】
一方、音声信号を制御する音声制御装置と当該音声制御装置による制御に基づいて音声信号をミキシング処理する音声処理装置とが物理的に分離されて構成されていて、これら音声制御装置と音声処理装置とを別々の場所に離隔して配置可能なミキシング・システムが提案されている。
【０００６】
即ち、こうした音声制御装置と音声処理装置とが物理的に分離されて構成されていて、両者を別々の場所に離隔して配置可能な従来のミキシング・システムにおいては、マイクやエレキ・ギターなどのリソースからのケーブルが接続される音声処理装置を演奏会場の前方にあるステージ近傍に配置し、その一方で音声制御装置を演奏会場の後方に配置するようにして、音声処理装置と音声制御装置との間をケーブルで接続するようにして使用することができるものである。
【０００７】
ところで、音声制御装置と音声処理装置とが物理的に分離されて構成されている従来のミキシング・システムにおいては、マイクロ・コンピューターによって制御する場合には、音声制御装置と音声処理装置とはそれぞれ別個のソフトウェア・プログラムにより動作するようになされることになる。
【０００８】
そして、音声制御装置と音声処理装置とのソフトウェア・プログラムは、両者がそれぞれ適合して、ミキシング・システムとして音声制御装置と音声処理装置とが互いに動作可能なバージョンが定められている場合には、例えば、音声制御装置のソフトウェア・プログラムをバージョン・アップするアップ・デート処理を行えば、音声処理装置のソフトウェア・プログラムのバージョンも、バージョン・アップされた音声制御装置のソフトウェア・プログラムが動作可能なバージョンにバージョン・アップするアップ・デート処理を行う必要がある。
【０００９】
しかしながら、音声制御装置と音声処理装置とが物理的に分離されて構成されているミキシング・システムにおいては、音声制御装置と音声処理装置とのソフトウェア・プログラムをバージョン・アップするアップ・デート処理は、音声制御装置と音声処理装置とでそれぞれ別個に行う必要があり、その作業が煩雑なものとなっていたという問題点がある。
【００１０】
即ち、使用者にとっては、音声制御部のソフトウェア・プログラムのバージョン・アップを行うアップ・デート処理と音声処理部のソフトウェア・プログラムのバージョン・アップを行うアップ・デート処理という同様な処理を二度続けて行う必要があり、その作業が煩雑なものとなる。
【００１１】
【発明が解決しようとする課題】
本発明は、上記したような従来の技術の有する問題点に鑑みてなされたものであり、その目的とするところは、音声制御装置と音声処理装置とが物理的に分離されて構成されたマイクロ・コンピューターによって制御されるミキシング・システムにおいて、そのソフトウェア・プログラムをバージョン・アップするアップ・デート処理を簡潔化して、作業性を著しく向上させたソフトウェア・プログラムのアップ・デートが可能なミキシング・システム、音声制御装置および音声処理装置を提供しようとするものである。
【００１２】
【課題を解決するための手段】
上記目的を達成するために、本発明のうち請求項１に記載の発明は、複数の音声信号の制御を指示する音声制御装置と上記音声制御装置による制御の指示に基づいて上記複数の音声信号をミキシング処理する音声処理装置とが物理的に分離され構成されており、上記音声制御装置と上記音声処理装置とを上記制御の指示を伝送する伝送路により結線し別々の場所に離隔して配置可能なミキシング・システムであって、上記音声制御装置は、外部記憶媒体から音声制御装置のソフトウェア・プログラムと音声処理装置のソフトウェア・プログラムとを読み出す読出手段を有し、上記読出手段により上記外部記憶媒体に格納された上記音声制御装置のソフトウェア・プログラムを読み出し、該読み出した上記音声制御装置のソフトウェア・プログラムにより、現在設定されているソフトウェア・プログラムのバージョン・アップを行い、音声処理装置において現在設定されているソフトウェア・プログラムのバージョン番号を第１の伝送路を介して問い合わせる処理を行うとともに、上記音声処理装置における応答によって上記音声処理装置において現在設定されているソフトウェア・プログラムのバージョン番号を第２の伝送路を介して取得し、上記読出手段により上記外部記憶媒体に格納された音声制御装置のソフトウェア・プログラムのバージョンと適合して動作可能な音声処理装置のソフトウェア・プログラムのバージョン番号を読み出し、上記音声処理装置に現在設定されているソフトウェア・プログラムのバージョン番号と、上記音声制御装置のソフトウェア・プログラムのバージョンと適合して動作可能な音声処理装置のソフトウェア・プログラムのバージョン番号とを比較することによって、上記音声処理装置に現在設定されているソフトウェア・プログラムでミキシング・システムとして上記音声制御装置と上記音声処理装置とが互いに動作可能であるか否かを判断し、動作可能でないと判断したときにのみ、上記読出手段により上記外部記憶媒体に格納された上記音声処理装置のソフトウェア・プログラムを読み出し、該読み出した上記音声処理装置のソフトウェア・プログラムを前記第１の伝送路を介して出力し、上記音声処理装置は、上記音声制御装置からの問い合わせに対して上記音声処理装置における現在設定されているソフトウェア・プログラムのバージョン番号を前記第２の伝送路を介して知らせる処理を行い、上記第１の伝送路を介して上記音声処理装置のソフトウェア・プログラムを入力して、該入力した上記音声処理装置のソフトウェア・プログラムにより、現在設定されているソフトウェア・プログラムのバージョン・アップを行うようにしたものである。
【００１３】
従って、本発明のうち請求項１に記載の発明であるソフトウェア・プログラムのアップ・デートが可能なミキシング・システムによれば、音声制御装置において、読出手段により外部記憶媒体から読み出された音声制御装置のソフトウェア・プログラムによって、現在設定されているソフトウェア・プログラムのバージョン・アップを行い、読出手段により外部記憶媒体から読み出された音声制御装置のソフトウェア・プログラムのバージョンと適合して動作可能な音声処理装置のソフトウェア・プログラムのバージョン番号と、音声処理装置に現在設定されているソフトウェア・プログラムのバージョン番号とを比較することによって、音声処理装置に現在設定されているソフトウェア・プログラムでミキシング・システムとして音声制御装置と音声処理装置とが互いに動作可能であるか否かを判断し、動作可能でないと判断されたときのみ、読出手段により外部記憶媒体に格納された音声処理装置のソフトウェア・プログラムを読み出して音声処理装置に出力し、音声処理装置において、入力した音声処理装置のソフトウェア・プログラムにより、現在設定されているソフトウェア・プログラムのバージョン・アップを行うわれることになり、外部記憶媒体に格納されたソフトウェア・プログラムでのバージョン・アップが、最小限の時間で行われることになる。
【００１４】
このため、本発明のうち請求項１に記載の発明であるソフトウェア・プログラムのアップ・デートが可能なミキシング・システムにおいては、ソフトウェア・プログラムをバージョン・アップするアップ・デート処理が簡潔化されて、このために作業性が著しく向上される。
【００１５】
また、本発明のうち請求項２に記載の発明であるソフトウェア・プログラムのアップ・デートが可能なミキシング・システムは、複数の音声信号の制御を指示する音声制御装置と上記音声制御装置による制御の指示に基づいて上記複数の音声信号をミキシング処理する音声処理装置とが物理的に分離され構成されており、上記音声制御装置と上記音声処理装置とを上記制御の指示を伝送する伝送路により結線し別々の場所に離隔して配置可能なミキシング・システムであって、上記音声制御装置は、外部記憶媒体から音声制御装置のソフトウェア・プログラムと音声処理装置のソフトウェア・プログラムとを読み出す読出手段を有し、上記読出手段により上記外部記憶媒体に格納された上記音声制御装置のソフトウェア・プログラムを読み出し、該読み出した上記音声制御装置のソフトウェア・プログラムにより、現在設定されているソフトウェア・プログラムのバージョン・アップを行い、上記読出手段により上記外部記憶媒体に格納された音声制御装置のソフトウェア・プログラムのバージョンと適合して動作可能な音声処理装置のソフトウェア・プログラムのバージョン番号を読み出し、該読み出した上記音声制御装置のソフトウェア・プログラムのバージョンと適合して動作可能な音声処理装置のソフトウェア・プログラムのバージョン番号を上記音声処理装置に転送し、上記読出手段により上記外部記憶媒体に格納された上記音声処理装置のソフトウェア・プログラムを読み出し、該読み出した上記音声処理装置のソフトウェア・プログラムを上記音声処理装置の制御に基づいて第１の伝送路を介して出力し、上記音声処理装置は、上記音声処理装置に現在設定されているソフトウェア・プログラムのバージョン番号と、上記音声制御装置から転送された上記外部記憶媒体に格納された上記音声制御装置のソフトウェア・プログラムのバージョンと適合して動作可能な音声処理装置のソフトウェア・プログラムのバージョン番号とを比較することによって、上記音声処理装置に現在設定されているソフトウェア・プログラムと上記外部記憶媒体に格納された上記音声制御装置のソフトウェア・プログラムとが適合して動作可能であるか否かを判断し、動作可能であると判断したときには、第２の伝送路を介して上記音声処理装置のソフトウェア・プログラムを出力することを禁止するよう上記音声制御装置を制御し、動作可能でないと判断したときには、上記第２の伝送路を介して上記音声処理装置のソフトウェア・プログラムを出力するよう上記音声制御装置を制御し、上記第１の伝送路を介して上記音声処理装置のソフトウェア・プログラムを入力すると、該入力した上記音声処理装置のソフトウェア・プログラムにより、現在設定されているソフトウェア・プログラムのバージョン・アップを行うようにしたものである。
【００１６】
従って、本発明のうち請求項２に記載の発明であるソフトウェア・プログラムのアップ・デートが可能なミキシング・システムによれば、音声制御装置において、読出手段により外部記憶媒体から読み出された音声制御装置のソフトウェア・プログラムによって、現在設定されているソフトウェア・プログラムのバージョン・アップを行い、音声処理装置において、音声制御装置における読出手段により外部記憶媒体から読み出された音声制御装置のソフトウェア・プログラムのバージョンと適合して動作可能な音声処理装置のソフトウェア・プログラムのバージョン番号と、音声処理装置に現在設定されているソフトウェア・プログラムのバージョン番号とを比較することによって、音声処理装置に現在設定されているソフトウェア・プログラムと外部記憶媒体に格納された音声制御装置のソフトウェア・プログラムとが適合して動作可能であるか否かを判断し、動作可能であると判断したときは、音声制御装置から音声処理装置のソフトウェア・プログラムを音声処理装置に出力することを禁止するよう音声制御装置を制御するとともに、動作可能でないと判断したときには、音声制御装置から音声処理装置のソフトウェア・プログラムを音声処理装置に出力するよう音声制御装置を制御し、当該音声制御装置の制御によって音声処理装置に入力した音声処理装置のソフトウェア・プログラムにより、現在設定されているソフトウェア・プログラムのバージョン・アップを行われることになり、外部記憶媒体に格納されたソフトウェア・プログラムでのバージョン・アップが、最小限の時間で行われることになる。
【００１７】
このため、本発明のうち請求項２に記載の発明であるソフトウェア・プログラムのアップ・デートが可能なミキシング・システムにおいては、ソフトウェア・プログラムをバージョン・アップするアップ・デート処理が簡潔化されて、このために作業性が著しく向上される。
【００２１】
また、本発明のうち請求項３に記載の発明である音声制御装置は、複数の音声信号をミキシング処理する音声処理装置と伝送路により結線してミキシング・システムを構成する音声制御装置において、外部記憶媒体から音声制御装置のソフトウェア・プログラムと音声処理装置のソフトウェア・プログラムとを読み出す読出手段を有し、上記読出手段により上記外部記憶媒体に格納された上記音声制御装置のソフトウェア・プログラムを読み出し、該読み出した上記音声制御装置のソフトウェア・プログラムにより、現在設定されているソフトウェア・プログラムのバージョン・アップを行い、音声処理装置において現在設定されているソフトウェア・プログラムのバージョン番号を第１の伝送路を介して問い合わせる処理を行うとともに、上記音声処理装置における応答によって上記音声処理装置において現在設定されているソフトウェア・プログラムのバージョン番号を第２の伝送路を介して取得し、上記読出手段により上記外部記憶媒体に格納された音声制御装置のソフトウェア・プログラムのバージョンと適合して動作可能な音声処理装置のソフトウェア・プログラムのバージョン番号を読み出し、上記音声処理装置に現在設定されているソフトウェア・プログラムのバージョン番号と、上記音声制御装置のソフトウェア・プログラムのバージョンと適合して動作可能な音声処理装置のソフトウェア・プログラムのバージョン番号とを比較することによって、上記音声処理装置に現在設定されているソフトウェア・プログラムでミキシング・システムとして上記音声制御装置と上記音声処理装置とが互いに動作可能であるか否かを判断し、動作可能でないと判断したときにのみ、上記読出手段により上記外部記憶媒体に格納された上記音声処理装置のソフトウェア・プログラムを読み出し、該読み出した上記音声処理装置のソフトウェア・プログラムを前記第１の伝送路を介して上記音声処理装置に出力するようにしたものである。
【００２４】
また、この本発明のうち請求項４に記載の発明である音声処理装置は、複数の音声信号の制御を指示する音声制御装置と伝送路により結線してミキシング・システムを構成する音声処理装置において、上記音声処理装置に現在設定されているソフトウェア・プログラムのバージョン番号と、上記音声制御装置において読み出され、上記音声制御装置から転送された外部記憶媒体に格納された上記音声制御装置のソフトウェア・プログラムのバージョンと適合して動作可能な音声処理装置のソフトウェア・プログラムのバージョン番号とを比較することによって、上記音声処理装置に現在設定されているソフトウェア・プログラムと上記外部記憶媒体に格納された上記音声制御装置のソフトウェア・プログラムとが適合して動作可能であるか否かを判断し、動作可能であると判断したときには、上記音声制御装置において上記外部記憶装置に格納された上記音声処理装置のソフトウェア・プログラムを読み出して、該読み出した上記音声処理装置のソフトウェア・プログラムを第１の伝送路を介して出力することを禁止するよう上記音声制御装置を制御し、動作可能でないと判断したときには、上記音声制御装置において上記外部記憶装置に格納された上記音声処理装置のソフトウェア・プログラムを読み出して、該読み出した上記音声処理装置のソフトウェア・プログラムを上記第１の伝送路を介して出力するよう上記音声制御装置を制御し、上記音声制御装置から第２の伝送路を介して上記音声処理装置のソフトウェア・プログラムを入力すると、該入力した上記音声処理装置のソフトウェア・プログラムにより、現在設定されているソフトウェア・プログラムのバージョン・アップを行うようにしたものである。
【００２７】
【発明の実施の形態】
以下、添付の図面を参照しながら、本発明によるソフトウェア・プログラムのアップ・デートが可能なミキシング・システム、音声制御装置および音声処理装置の実施の形態の一例を詳細に説明する。
【００２８】
図１には、本発明による音声制御装置ならびに音声処理装置を備えた本発明によるソフトウェア・プログラムのアップ・デートが可能なミキシング・システムの実施の形態の一例を、ハードウェア構成的に示したブロック構成図が示されている。
【００２９】
なお、このミキシング・システムの後述する音声信号の制御の指示をする音声制御装置（以下、「コンソール」と称する。）１２は、内蔵する図示しないマイクロ・コンピューターによってコンソール１２の制御を行うようになされているものである。
【００３０】
また、このミキシング・システムの後述するミキシング処理を行う音声処理装置（以下、「プロセッサー」と称する。）１４は、別の内蔵する図示しないマイクロ・コンピューターによってプロセッサー１４の制御を行うようになされているものであり、入力レベル検出部４６ならびに音声信号処理部４８は、デジタル・シグナル・プロセッサ（ＤＳＰ）によって実現されるものとする。
【００３１】
このミキシング・システム１０は、音声信号の制御の指示をするコンソール１２とコンソール１２の制御の指示に基づいて音声信号をミキシング処理するプロセッサー１４とが物理的に分離されて構成されていて、これらコンソール１２とプロセッサー１４とを別々の場所に離隔して配置可能なようになされている。具体的には、例えば、コンソール１２を演奏会場の後方に配置し、プロセッサー１４を演奏会場の前方にあるステージの近傍に配置するものである。
【００３２】
ここで、コンソール１２とプロセッサー１４とは、コンソール１２から出力された信号（後述するデジタル・コントロール信号およびデジタル音声信号）をプロセッサー１４へ入力する伝送路１６と、プロセッサー１４から出力された信号（後述するデジタル・コントロール信号およびデジタル音声信号）をコンソール１２へ入力する伝送路１８とを介して接続されており、デジタル・コントロール信号とデジタル音声信号とがともに双方向通信が可能なようになされている。
【００３３】
そして、上記した伝送路１６と伝送路１８とは、それぞれ１本のケーブルから構成されている。これらのケーブルは、この実施の形態においては、ＡＥＳ−ＥＢＵにおけるＸＬＲコネクターが用いられている。
【００３４】
また、後述する外部記憶媒体としてのメモリー・カード１００に格納されたプロセッサー１４に用いられるソフトウェア・プログラムも、伝送路１６を介してコンソール１２からプロセッサー１４へ出力することができるようになされている。
【００３５】
また、コンソール１２は、後述するリソースたる演奏会場の前方にあるステージ上などに配置されたマイク４２−１〜４２−４の各チャンネルにそれぞれ対応するフェーダー操作子２０−１〜２０−４（この実施の形態においては、マイク４２−１〜４２−４のチャンネル数に応して４チャンネル分設定されている。）の位置に応じて各チャンネルの音声信号の音声レベルを制御するアナログ・コントロール信号としてのアナログ音声レベル制御信号を発生して出力するリモート・フェーダー２０と、リモート・フェーダー２０から出力されるアナログ・コントロール信号としてのアナログ音声レベル制御信号をデジタル・コントロール信号としてのデジタル音声レベル制御信号に変換して出力するＡ／Ｄ変換器２２と、外部のマイク（ＭＩＣ）２４やＣＤプレーヤー（図示せず）などから入力されるアナログ音声信号をデジタル音声信号に変換して出力するＡ／Ｄ変換器２６と、Ａ／Ｄ変換器２２から出力されるデジタル・コントロール信号としてのデジタル音声レベル制御信号とＡ／Ｄ変換器２６から出力されるデジタル音声信号とを多重化して伝送路１６へ出力する多重部２８と、伝送路１８を介して入力されるデジタル・コントロール信号たる入力レベル情報信号とデジタル音声信号とを分離して出力する分離部３０と、分離部３０によって分離されて出力されるデジタル音声信号をアナログ音声信号に変換して出力するＤ／Ａ変換器３２と、コンソール１２とプロセッサー１４とのバージョン・アップ用のソフトウェア・プログラムを格納したメモリー・カード１００を挿入して当該メモリー・カード１００から当該ソフトウェア・プログラムを読み出すためのメモリー・カード読出部３８とを有して構成されている。
【００３６】
なお、Ｄ／Ａ変換器３２から出力されるアナログ音声信号は、外部のヘッドフォン３４などに出力されて、ユーザーがモニターすることができるようになされている。
【００３７】
また、分離部３０によって分離されて出力されるデジタル入力レベル情報信号は、各チャンネルの音声信号の入力レベルを表示する外部のレベル・メーター３６へ出力されて、ユーザーがモニターすることができるようになされている。
【００３８】
ここで、メモリー・カード読出部３８に挿入されるメモリー・カード１００には、上記したようにコンソール１２とプロセッサー１４とのバージョン・アップ用のソフトウェア・プログラムが格納されているものであり、ソフトウェア・プログラムのバージョンに応じたメモリー・カード１００が用意されることになるものである。
【００３９】
また、プロセッサー１４は、伝送路１６介して入力される多重化されたデジタル・コントロール信号とデジタル音声信号とを分離して出力する分離部４０と、リソースとしての演奏会場のステージ上などに配置された外部のマイク（ＭＩＣ）４２−１〜４２−４の４チャンネルの経路により入力されるアナログ音声信号をデジタル音声信号に変換して出力するＡ／Ｄ変換器４４と、Ａ／Ｄ変換器４４から出力されるデジタル音声信号を出力するとともに当該デジタル音声信号の入力レベル情報を検出してデジタル・コントロール信号たるデジタル入力レベル情報信号として出力するＤＳＰから構成される入力レベル検出部４６と、分離部４０によって分離されて出力されるデジタル・コントロール信号のなかのデジタル音声レベル制御信号ならびにデジタル音声信号および入力レベル検出部４６から出力されるデジタル音声信号に基づいてミキシング処理を行ってデジタル音声信号を出力するＤＳＰから構成される音声信号処理部４８と、音声信号処理部４８から出力されるデジタル音声信号をアナログ音声信号に変換して出力するＤ／Ａ変換器５０と、入力レベル検出部４６から出力されるデジタル・コントロール信号たるデジタル入力レベル情報信号と音声信号処理部４８から出力されるデジタル音声信号とを多重化して伝送路１８へ出力する多重部５２とを有して構成されている。
【００４０】
なお、Ｄ／Ａ変換器５０から出力されるアナログ音声信号は、外部のスピーカー５４（スピーカー５４は、ステレオの左チャンネル用のスピーカー５４Ｌとステレオの右チャンネル用のスピーカー５４Ｒとより構成されている。）に出力されて、聴取し得る楽音として空間に放音されるようになされている。
【００４１】
以上の構成により、コンソール１２とプロセッサー１４のマイクロ・コンピューター間でデジタル・コントロール信号の通信を行うことができるようになっており、これにより各種の処理を行うことができる。
【００４２】
具体的には、コンソール１２がプロセッサー１４の現在設定されているソフトウェア・プログラムのバージョン番号を問い合わせるなどの指示を多重部２８でデジタル・コントロール信号として多重化し、伝送路１６を介してプロセッサー１４に送信する。プロセッサー１４は分離部４０においてデジタル・コントロール信号から分離することにより当該指示に応じた処理をすることが可能になる。そして、プロセッサー１４は処理の結果、即ち、現在設定されているバージョン番号の情報を多重部５２でデジタル・コントロール信号として多重化し、伝送路１８を介してコンソール１２に送信する。コンソール１２は分離部３０においてデジタル・コントロール信号から分離することにより、当該情報、即ち、プロセッサー１４に現在設定されているバージョン番号を知ることができる。また、同様の処理手順を用いてコンソール１２からプロセッサー１４に対し、伝送路１６を介してソフトウェア・プログラムを転送することもできる。
【００４３】
図２には、この実施の形態において用いられているＡＥＳ−ＥＢＵにおけるデータ分割フォーマット図が示されている。コンソール１２の多重部２８ならびにプロセッサー１４の多重部５２においては、デジタル・コントロール信号とデジタル音声信号とを図２に示すフォーマットにより多重化して、伝送路１６ならびに伝送路１８へそれぞれ出力するものである。つまり、コンソール１２とプロセッサー１４との双方向通信において、双方向とも同じデータ・フォーマットを使用するものである。
【００４４】
図２において、Ａ０、Ｂ０・・・は各サブ・フレーム（Ｓｕｂ−Ｆｒａｍｅ）を表しており（なお、「Ａ」はステレオの左チャンネル（Ｌ．ｃｈ）を表し、「Ｂ」はステレオの右チャンネル（Ｒ．ｃｈ）を表している。）、各サブ・フレームは３２ビットよりなるものである。
【００４５】
これら３２ビットのうちのビット０（ｂｉｔ０）〜ビット３（ｂｉｔ３）がプレアンブル（Ｐｒｅａｍｂｌｅ）であり、ビット４（ｂｉｔ４）〜ビット７（ｂｉｔ７）が補助データ（Ａｕｘ  Ｄａｔａ）であり、ビット８（ｂｉｔ８）〜ビット２７（ｂｉｔ２７）がデジタル音声信号に相当する左チャンネルまたは右チャンネルの音声データ（Ａｕｄｉｏ  Ｄａｔａ）であり、ビット２８（ｂｉｔ２８）がパリティー・ビット（Ｐａｒｉｔｙ  Ｂｉｔ）であり、ビット２９（ｂｉｔ２９）がユーザー・データ（Ｕｓｅｒ  Ｄａｔａ）であり、ビット３０（ｂｉｔ３０）がデジタル音声信号のチャンネルを示すチャンネル・ステータス・データ（Ｃｈａｎｎｅｌ  Ｓｔａｔｕｓ  Ｄａｔａ）であり、ビット３１（ｂｉｔ３１）がバリディティー（Ｖａｌｉｄｉｔｙ）である。
【００４６】
ここで、この実施の形態においては、デジタル音声信号の各サブ・フレーム毎に左チャンネルまたは右チャンネルの１サンプル分のデータが転送されるものであり、１６個分のサブ・フレームのビット２９のユーザー・データによって、デジタル・コントロール信号を構成するものとなされている。
【００４７】
即ち、この実施の形態においては、コンソール１２の多重部２８ならびにプロセッサー１４の多重部５２において上記したように既存のフォーマットであるＡＥＳ−ＥＢＵを使用しているので、伝送路１６ならびに伝送路１８としてはＸＬＲコネクターを用いた既存のケーブルを使用することができるものである。
【００４８】
以上の構成において、コンソール１２においては、リモート・フェーダー２０の各チャンネルに対応するフェーダー操作子２０−１〜２０−４の位置に応じて、各チャンネルの音声レベルを制御するアナログ音声レベル制御信号が発生され、このアナログ音声レベル制御信号がＡ／Ｄ変換器２２へ出力されることになる。
【００４９】
そして、Ａ／Ｄ変換器２２においては、リモート・フェーダー２０から出力されたアナログ音声レベル制御信号を入力して、当該アナログ音声レベル制御信号をデジタル音声レベル制御信号に変換して多重部２８へ出力する。
【００５０】
なお、Ａ／Ｄ変換器２２から出力される４チャンネル分のデジタル音声レベル制御信号は、時分割多重化されデジタル・コントロール信号となる。
【００５１】
一方、マイク２４から入力されたアナログ音声信号は、Ａ／Ｄ変換器２６においてデジタル音声信号に変換されて、多重部２８へ出力されることになる。
【００５２】
なお、Ａ／Ｄ変換器２６から出力されるデジタル音声信号は時分割多重化された２チャンネル分のステレオ信号とされており、マイク２４から入力された音声信号は左チャンネルおよび右チャンネルに均等に分配される。
【００５３】
多重部２８においては、Ａ／Ｄ変換器２２から出力された時分割多重化された４チャンネル分のデジタル・コントロール信号とＡ／Ｄ変換器２６から出力されたデジタル音声信号とを入力し、図２に示すＡＥＳ−ＥＢＵにおけるデータ分割フォーマットにより当該デジタル・コントロール信号と当該デジタル音声信号とにより多重化を行い、ＸＬＲコネクターを用いた１本のケーブルよりなる伝送路１６へ出力することになる。
【００５４】
そして、プロセッサー１４においては、伝送路１６を介して入力される多重化されたデジタル・コントロール信号とデジタル音声信号とは、まず分離部４０へ入力されることになり、分離部４０において、当該多重化されたデジタル・コントロール信号とデジタル音声信号とを、デジタル・コントロール信号とデジタル音声信号とにそれぞれ分離して音声信号処理部４８へ出力するものである。
【００５５】
一方、マイク４２−１〜４２−４から入力されたアナログ音声信号は、Ａ／Ｄ変換器４４によってデジタル音声信号に変換された後に、入力レベル検出部４６によって入力レベル情報を検出されてから、音声信号処理部４８へ出力されることになる。
【００５６】
ここで、音声信号処理部４８においては、分離部４０から出力されたデジタル・コントロール信号のなかのデジタル音声レベル制御信号を入力するとともに、入力レベル検出部４６から出力されたデジタル音声信号を入力して、当該デジタル音声信号の音声レベルを分離部４０から出力されたデジタル・コントロール信号のなかのデジタル音声レベル制御信号によって制御するとともに、分離部４０から出力されたデジタル音声信号も入力し、これらのデジタル音声信号に対してミキシング処理を行い、左チャンネルと右チャンネルとのステレオのデジタル音声信号としてＤ／Ａ変換器５０および音声多重部５２へ出力するものである。
【００５７】
Ｄ／Ａ変換器５０においては、音声信号処理部４８から入力された左チャンネルと右チャンネルとのステレオのデジタル音声信号を入力して、当該左チャンネルと右チャンネルとのステレオのデジタル音声信号を左チャンネルと右チャンネルとのステレオのアナログ音声信号へ変換し、左チャンネルのアナログ音声信号を左チャンネル用のスピーカー５４Ｌへ出力するとともに、右チャンネルのアナログ音声信号を右チャンネル用のスピーカー５４Ｒへ出力するものである。
【００５８】
これにより、マイク４２−１〜４２−４からプロセッサー１４へ入力されたアナログ音声信号が、音声信号制御部１２のリモート・フェーダー２０によって制御された音声レベルによりミキシング処理されて、プロセッサー１４に接続された左チャンネル用のスピーカー５４Ｌならびに右チャンネル用のスピーカー５４Ｒから聴取し得る楽音として空間に放音されることになる。
【００５９】
また、これにより、マイク２４からコンソール１２へ入力されたアナログ音声信号が、プロセッサー１４に接続された左チャンネル用のスピーカー５４Ｌならびに右チャンネル用のスピーカー５４Ｒから聴取し得る楽音として空間に放音されることになる。
【００６０】
従って、上記したミキシング・システム１０においては、マイク２４からコンソール１２へアナログ音声信号を入力しない場合には、「従来の技術」の項において説明した従来のミキシング・システムと同様なミキシング処理が実現されるものである。
【００６１】
一方、上記したミキシング・システム１０においては、マイク２４からコンソール１２へアナログ音声信号を入力した場合には、マイク２４が接続されたコンソール１２を配置した場所、例えば、演奏会場の後方にいるユーザーが、演奏会場の前方のステージ上にいる演奏者に対して、マイク２４を介してスピーカー５４から各種の指示を与えることができるようになる。
【００６２】
また、マイク２４に代えてＣＤプレーヤーを接続したような場合には、演奏会場にバックグランド・ミュージックを流すこともできるようになる。
【００６３】
また、入力レベル検出部４６から出力されたデジタル入力レベル情報信号と音声信号処理部４８から出力されたデジタル音声信号とは、多重部５２へ出力されるものである。
【００６４】
多重部５２においては、入力レベル検出部４６から出力されたデジタル入力レベル情報信号と音声信号処理部４８から出力されたデジタル音声信号とを入力し、図２に示すＡＥＳ−ＥＢＵにおけるデータ分割フォーマットにより当該デジタル入力レベル情報信号（即ち、デジタル・コントロール信号）と当該デジタル音声信号とにより多重化を行い、ＸＬＲコネクターを用いた１本のケーブルよりなる伝送路１８へ出力することになる。
【００６５】
なお、入力レベル検出部４６から出力される４チャンネル分の入力レベル情報を含むデジタル・コントロール信号および音声信号処理部４８から出力される２チャンネル分のデジタル音声信号は、それぞれ時分割多重化されている。
【００６６】
そして、コンソール１２においては、伝送路１８を介して入力される多重化されたデジタル入力レベル情報信号とデジタル音声信号とは、まず分離部３０へ入力されることになり、分離部３０において、当該多重化されたデジタル入力レベル情報信号とデジタル音声信号とを、デジタル入力レベル情報信号とデジタル音声信号とにそれぞれ分離して、デジタル入力レベル情報信号を外部のレベル・メーター３６へ出力し、デジタル音声信号をＤ／Ａ変換器３２へ出力することになる。
【００６７】
従って、ユーザーは、演奏会場に放音された音声のみにたよることなく外部のレベル・メーター３６を監視することによって、各チャンネルの音声信号の入力レベルをモニターすることができる。
【００６８】
また、Ｄ／Ａ変換器３２においては、分離部３０によって分離されて出力されるデジタル音声信号をアナログ音声信号に変換し、ヘッドフォン３４へ出力するものである。
【００６９】
従って、上記したミキシング・システム１０においては、ヘッドフォン３４が接続されたコンソール１２を配置した場所、例えば、演奏会場の後方にいるユーザーが、演奏会場の前方のステージ上にいる演奏者によるマイク４２−１〜４２−４への音声入力の状態を直接モニターすることができるようになる。
【００７０】
そして、コンソール１２とプロセッサー１４とのソフトウェア・プログラムのバージョンを、メモリー・カード１００に格納されたソフトウェア・プログラムのバージョンにバージョン・アップするアップ・デート処理を行いたい場合には、メモリー・カード１００をコンソール１２のメモリー・カード読出部３８内に挿入する。
【００７１】
こうしてメモリー・カード１００をコンソール１２のメモリー・カード読出部３８内に挿入すると、マイクロ・コンピューターはメモリー・カード１００が挿入されたことを認知し、図３のフローチャートに示すアップ・デート処理ルーチンが起動され、ソフトウェア・プログラムをメモリー・カード１００に格納されたソフトウェア・プログラムのバージョン・アップするアップ・デート処理が実行されることになる。
【００７２】
以下、図３に示すフローチャートを参照しながら、アップ・デート処理ルーチンを説明する。
【００７３】
メモリー・カード１００をコンソール１２のメモリー・カード読出部３８内に挿入することによりアップ・デート処理ルーチンが起動されると、まず、メモリー・カード１００に格納されているコンソール１２用のソフトウェア・プログラムのバージョン番号、即ち、コンソール１２用の新しいソフトウェア・プログラムのバージョン番号を取得する（ステップＳ３０２）。具体的には、メモリー・カード読出部３８からメモリー・カード１００に格納されているコンソール１２用のソフトウェア・プログラムのバージョン番号を読み出すことにより、当該バージョン番号を取得する。
【００７４】
次に、コンソール１２のソフトウェア・プログラムを、メモリー・カード１００に格納されているコンソール１２用のソフトウェア・プログラムでバージョン・アップするアップ・デート処理を行う（ステップＳ３０４）。即ち、メモリー・カード読出部３８からメモリー・カード１００に格納されているコンソール１２用のソフトウェア・プログラムを読み出し、読み出したソフトウェア・プログラムによりバージョン・アップしてアップ・デート処理を行う。
【００７５】
それから、メモリー・カード１００に格納されているプロセッサー１４用のソフトウェア・プログラムのバージョン番号、即ち、プロセッサー１４用の新しいソフトウェア・プログラムのバージョン番号を取得する（ステップＳ３０６）。具体的には、メモリー・カード読出部３８からメモリー・カード１００に格納されているプロセッサー１４用のソフトウェア・プログラムのバージョン番号を読み出すことにより、当該バージョン番号を取得する。
【００７６】
次に、プロセッサー１４に現在設定されているソフトウェア・プログラムのバージョン番号を取得する（ステップＳ３０８）。具体的には、コンソール１２からプロセッサー１４に対し、伝送路１６を介して現在設定されているソフトウェア・プログラムのバージョン番号を問い合わせる処理を行い、プロセッサー１４からコンソール１２に対し、伝送路１８を介して当該問い合わせの回答、即ち、現在設定されているバージョン番号を知らせる処理を行う。
【００７７】
さらに、ステップＳ３０４の処理において設定したコンソール１２用のソフトウェア・プログラムのバージョンと適合して動作可能なプロセッサー１４のソフトウェア・プログラムのバージョン番号を取得する（ステップＳ３１０）。具体的には、メモリー・カード読出部３８から、メモリー・カード１００に格納されているコンソール１２用のソフトウェア・プログラムのバージョンと適合して動作可能なプロセッサー１４のソフトウェア・プログラムのバージョン番号を読み出すことにより、当該バージョン番号を取得する。
【００７８】
次に、プロセッサー１４に現在設定されているソフトウェア・プログラムのバージョンで、ミキシング・システム１０としてコンソール１２とプロセッサー１４とが互いに動作可能か否かを判断する（ステップＳ３１２）。具体的には、ステップＳ３０８の処理で取得したバージョン番号（プロセッサー１４に現在設定されているソフトウェア・プログラムのバージョン番号）とステップＳ３１０の処理で取得したバージョン番号（コンソール１２に設定されているソフトウェア・プログラムのバージョンで動作可能なプロセッサー１４のソフトウェア・プログラムのバージョン番号）とを比較し、両者の間で一致するものがある場合には、プロセッサー１４に現在設定されているソフトウェア・プログラムのバージョンで、ミキシング・システム１０としてコンソール１２とプロセッサー１４とが互いに動作可能であると判断し、一方、両者の間で一致するものがない場合には、プロセッサー１４に現在設定されているソフトウェア・プログラムのバージョンでは、ミキシング・システム１０としてコンソール１２とプロセッサー１４とが互いに動作可能でないと判断するものである。
【００７９】
上記したステップＳ３１２の処理において、プロセッサー１４に現在設定されているソフトウェア・プログラムのバージョンで、ミキシング・システム１０としてコンソール１２とプロセッサー１４とが互いに動作可能であると判断された場合には、プロセッサー１４に現在設定されているソフトウェア・プログラムをバージョン・アップしなくても、ミキシング・システム１０としてコンソール１２とプロセッサー１４とが互いに動作可能であるので、そのままこのアップ・デート処理ルーチンを終了する。
【００８０】
一方、ステップＳ３１２の処理において、プロセッサー１４に現在設定されているソフトウェア・プログラムのバージョンで、ミキシング・システム１０としてコンソール１２とプロセッサー１４とが互いに動作可能でないと判断された場合には、プロセッサー１４のソフトウェア・プログラムを、メモリー・カード１００に格納されているプロセッサー１４用のソフトウェア・プログラムでバージョン・アップするアップ・デート処理を行う（ステップＳ３１４）。即ち、メモリー・カード読出部３８からメモリー・カード１００に格納されているプロセッサー１４用のソフトウェア・プログラムを読み出し、読み出したソフトウェア・プログラムを伝送路１６を介してプロセッサー１４へ出力し、プロセッサー１４においては伝送路１６を介してコンソール１２から出力されたソフトウェア・プログラムを入力して、当該ソフトウェア・プログラムによりバージョン・アップしてアップ・デート処理を行う。
【００８１】
なお、ソフトウェア・プログラムは多重部２８によりデジタル・コントロール信号の一種として、デジタル音声レベル制御信号と時分割多重化されて出力される。プロセッサー１４では、受信したデジタル・コントロール信号の中から分離部４０によりソフトウェア・プログラムを分離し、アップ・デート処理を行う。
【００８２】
上記したステップＳ３１４の処理と上記したステップＳ３０４の処理とによって、コンソール１２とプロセッサー１４との両者のソフトウェア・プログラムが、メモリー・カード１００に格納されたバージョンのものにバージョン・アップされることになり、コンソール１２とプロセッサー１４との両者のソフトウェア・プログラムのバージョンが一致して、ミキシング・システム１０としてコンソール１２とプロセッサー１４とが互いに動作可能となる。
【００８３】
そして、上記したステップＳ３１４の処理を終了すると、このアップ・デート処理ルーチンを終了する。
【００８４】
従って、上記したアップ・デート処理ルーチンの処理によって、コンソール１２とプロセッサー１４とのソフトウェア・プログラムをバージョン・アップするアップ・デート処理が、コンソール１２とプロセッサー１４とのソフトウェア・プログラムのバージョンを合わせてミキシング・システム１０としてコンソール１２とプロセッサー１４とが互いに動作可能となるように自動的に行われるので、コンソール１２とプロセッサー１４とのソフトウェア・プログラムをバージョン・アップするアップ・デート処理が簡潔化され、作業性が著しく向上されることになる。
【００８５】
なお、メモリー・カード読出部３８は、アップ・デートのみに用いられるメモリー・カードの読み出し部ではなく、各種の設定を記録・読み出しできるようにして、メモリー・カード１００に書き込まれたデータ内にバージョン・アップに使用するソフトウェア・プログラムがあるか否かによって、アップ・デート処理を行うか否かを判断するようにしてもよい。
【００８６】
なお、上記した実施の形態においては、アップ・デート処理ルーチンのステップＳ３１２の処理において、プロセッサー１４に現在設定されているソフトウェア・プログラムのバージョンで、ミキシング・システム１０としてコンソール１２とプロセッサー１４とが互いに動作可能であるか否かを判断し、プロセッサー１４に現在設定されているソフトウェア・プログラムのバージョンで、ミキシング・システム１０としてコンソール１２とプロセッサー１４とが互いに動作可能であると判断された場合には、プロセッサー１４に現在設定されているソフトウェア・プログラムを敢えてバージョン・アップしなくても、ミキシング・システム１０としてコンソール１２とプロセッサー１４とが互いに動作可能であるので、プロセッサー１４のソフトウェア・プログラムをバージョン・アップするアップ・デート処理を行わないようにしている。
【００８７】
これにより、ユーザー・インターフェースをもつコンソール１２のみがバージョン・アップされる場合、バージョン・アップ処理が最低限の時間で完了させられる。
【００８８】
しかしながら、これに限られることなしに、メモリー・カード１００をメモリー・カード読出部３８へ挿入した際には、コンソール１２とプロセッサー１４とのソフトウェア・プログラムを、メモリー・カード１００に格納されているソフトウェア・プログラムでバージョン・アップするアップ・デート処理を無条件に実行するようにしてもよい。
【００８９】
また、上記した実施の形態においては、コンソール１２においてプロセッサー１４のアップ・デート処理を行うか否かを判断を行ったが、これに限定されるものではない。
【００９０】
例えば、コンソール１２が、メモリー・カード１００に格納されているコンソール１２用のソフトウェア・プログラムのバージョンと適合して動作可能なプロセッサー１４のソフトウェア・プログラムのバージョン番号を、プロセッサー１４に転送する。
【００９１】
そして、プロセッサー１４が、プロセッサー１４に現在設定されているソフトウェアとコンソール１２から転送されたバージョン番号とを比較することによって、プロセッサー１４に現在設定されているソフトウェアとメモリー・カード１００に格納されているコンソール１２用のソフトウェア・プログラムとが適合して動作することができるかを判断する。そして、動作することができると判断された場合には、プロセッサー１４は、デジタル・コントロール信号を伝送路１８に出力することにより、コンソール１２が伝送路１６を用いてプロセッサー１４のソフトウェア・プログラムを出力することを禁止する制御を行い、動作することができると判断されない場合には、プロセッサー１４は、デジタル・コントロール信号を伝送路１８に出力することにより、コンソール１２が伝送路１６を用いてプロセッサー１４のソフトウェア・プログラムを出力するように制御を行う。
【００９２】
また、上記した実施の形態においては、コンソール１２およびプロセッサー１４を１対１で接続したが、この方式に限定されるものではなく、複数のコンソール１２および複数のプロセッサー１４を接続するようにして、１台のコンソール１２から他の全てのコンソール１２とプロセッサー１４のアップ・デートを行ってもよい。
【００９３】
また、上記した実施の形態においては、音声信号処理部４８と入力レベル検出部４６とを別々のＤＳＰによって実現したが、これを共通のＤＳＰによって実現してもよい。
【００９４】
また、上記した実施の形態においては、Ｄ／Ａ変換器５０へ出力する音声信号のみを伝送路１８とコンソール１２とを介して試聴できるようにしたが、Ｄ／Ａ変換器５０へ出力する音声信号以外にも、プロセッサー１４に入力された音声信号やミキシング処理過程での音声信号を伝送路１８とコンソール１２とを介して試聴できるようにしてもよい。
【００９５】
また、上記した実施の形態においては、既存のフォーマットであるＡＥＳ−ＥＢＵによる導線を用いた伝送路１６および伝送路１８を使用したが、コントロール信号を伝送することができる伝送形態であれば、いずれの形態であってもかまわないことは勿論である。例えば、ＳＰＤＩＦの光ケーブルなどであってもよい。
【００９６】
【発明の効果】
本発明は、以上説明したように構成されているので、音声制御装置と音声処理装置とが物理的に分離されて構成されたマイクロ・コンピューターによって制御されるミキシング・システムにおいて、そのソフトウェア・プログラムをバージョン・アップするアップ・デート処理が簡潔化され、作業性が著しく向上されるという優れた効果を奏する。
【図面の簡単な説明】
【図１】本発明による音声制御装置ならびに音声処理装置を備えた本発明によるソフトウェア・プログラムのアップ・デートが可能なミキシング・システムの実施の形態の一例を、ハードウェア構成的に示したブロック構成図である。
【図２】ＡＥＳ−ＥＢＵにおけるデータ分割フォーマット図である。
【図３】アップ・デート処理ルーチンのフローチャートである。
【符号の説明】
１０                        ミキシング・システム
１２                        音声制御装置（コンソール）
１４                        音声処理装置（プロセッサー）
１６、１８                  伝送路
２０                        リモート・フェーダー
２０−１〜２０−４          フェーダー操作子
２２、２６、４４            アナログ／デジタル（Ａ／Ｄ）変換器
２４、４２−１〜４２−４    マイク
２８、５２                  多重部
３０、４０                  分離部
３２、５０                  デジタル／アナログ（Ｄ／Ａ）変換器
３４                        ヘッドフォン
３６                        レベル・メーター
３８                        メモリー・カード読出部
４６                        入力レベル検出部
４８                        音声信号処理部
５４                        スピーカー
５４Ｌ                      左チャンネル用のスピーカー
５４Ｒ                      右チャンネル用のスピーカー
１００                        メモリー・カード
【図１】
0004361160.tif 000002
【図２】
0004361160.tif 000003
【図３】
0004361160.tif 000004